(57)【特許請求の範囲】
【請求項１】
リモートコントローラによって操作される制御装置であって、
外部機器から送信された画像データを受信する受信手段と、
前記外部機器の近接が検出されてから所定の期間が経過する前に、前記リモートコントローラの動きが検出された場合は、前記外部機器から受信した画像データを表示装置に表示させるための制御を行う表示制御手段と
を有することを特徴とする制御装置。
【請求項２】
前記外部機器から受信した画像データを記憶媒体に記憶させる記憶制御手段を有することを特徴とする請求項１に記載の制御装置。
【請求項３】
前記外部機器から画像データを受信している間は、画像データの受信が完了するまで、前記所定の期間が経過していないと判定する判定手段を有することを特徴とする請求項１または２に記載の制御装置。
【請求項４】
前記外部機器との通信に基づいて、前記外部機器の近接を検出する検出手段を有することを特徴とする請求項１から３のいずれか１項に記載の制御装置。
【請求項５】
前記リモートコントローラから受信した信号に基づいて、前記リモートコントローラの動きを検出する検出手段を有することを特徴とする請求項１から４のいずれか１項に記載の制御装置。
【請求項６】
前記リモートコントローラが所定の位置から動かされた場合に、前記リモートコントローラの動きを検出する検出手段を有することを特徴とする請求項１から４のいずれか１項に記載の制御装置。
【請求項７】
前記表示装置を有することを特徴とする請求項１から５のいずれか１項に記載の制御装置。
【請求項８】
前記表示装置と無線を介して接続される接続手段を有することを特徴とする請求項１から６のいずれか１項に記載の制御装置。
【請求項９】
リモートコントローラによって操作される制御装置の制御方法であって、
外部機器から送信された画像データを受信する受信ステップと、
前記外部機器の近接が検出されてから所定の期間が経過する前に、前記リモートコントローラの動きが検出された場合は、前記外部機器から受信した画像データを表示装置に表示させるための制御を行う表示制御ステップと
を有することを特徴とする制御方法。
【請求項１０】
リモートコントローラによって操作される制御装置としてコンピュータを機能させるためのプログラムであって、
外部機器から送信された画像データを受信する受信手段と、
前記外部機器の近接が検出されてから所定の期間が経過する前に、前記リモートコントローラの動きが検出された場合は、前記外部機器から受信した画像データを表示装置に表示させるための制御を行う表示制御手段
として前記コンピュータを機能させるためのプログラム。
【発明の詳細な説明】
【技術分野】
【０００１】
本発明は、外部機器から受信した画像データの表示制御を行うことができる制御装置等に関する。
【背景技術】
【０００２】
現在、デジタルカメラやデジタルビデオカメラ等の外部機器から動画／静止画を含めた画像データを有線／無線通信を用いて取り込み、ハードディスクドライブ（HDD）等の記憶媒体に画像データを保存することが一般的に行われている。また、取り込んだ画像データをＨＤＭＩ（High Definition Multimedia Interface）ケーブル等で接続されたデジタルテレビに再生表示する画像制御装置が注目されている。この際、リモートコントローラ（以下、リモコン）を用いてデジタルテレビで再生、早送り等を制御することが考えられる。また、リモコンの動きに応じて再生表示を制御する画像制御装置が提案されている。
【０００３】
例えば、特許文献１では、フォトフレームとフォトフレーム用のリモコンにおいて、リモコン筐体の周縁部にタップ動作を検出するセンサがある。そして、フォトフレームはリモコンより送られたタップ動作検出結果を受信すると、検出結果に基づいて画像の表示状態を調整するようにしたフォトフレームが開示されている。
【先行技術文献】
【特許文献】
【０００４】
【特許文献１】特開２０１０−００９３９２公報
【発明の概要】
【発明が解決しようとする課題】
【０００５】
しかしながら、前述の特許文献１に開示された従来技術では、画像データ表示中のリモコンの動きに応じて表示装置の表示制御を行うようにしている。しかしながら、画像データが表示されていない状態では、そもそも取り込んだ画像データの表示処理を開始すべきか否かを判断することはできなかった。
【課題を解決するための手段】
【０００６】
本発明に係る制御装置は、リモートコントローラによって操作される制御装置であって、外部機器から送信された画像データを受信する受信手段と、前記外部機器の近接が検出されてから所定の期間が経過する前に、前記リモートコントローラの動きが検出された場合は、前記外部機器から受信した画像データを表示装置に表示させるための制御を行う表示制御手段とを有することを特徴とする。
本発明に係る制御方法は、リモートコントローラによって操作される制御装置の制御方法であって、外部機器から送信された画像データを受信する受信ステップと、前記外部機器の近接が検出されてから所定の期間が経過する前に、前記リモートコントローラの動きが検出された場合は、前記外部機器から受信した画像データを表示装置に表示させるための制御を行う表示制御ステップとを有することを特徴とする。
本発明に係るプログラムは、リモートコントローラによって操作される制御装置としてコンピュータを機能させるためのプログラムであって、外部機器から送信された画像データを受信する受信手段と、前記外部機器の近接が検出されてから所定の期間が経過する前に、前記リモートコントローラの動きが検出された場合は、前記外部機器から受信した画像データを表示装置に表示させるための制御を行う表示制御手段として前記コンピュータを機能させるためのプログラムである。
【発明の効果】
【０００７】
本発明によれば、使用者が煩雑な操作を行うことなく、画像データの表示装置への表示を開始することが可能になる。
【図面の簡単な説明】
【０００８】
【図１】本発明の実施形態を示し、画像制御システムの第１の構成例を示す図である。
【図２】本発明の実施形態を示し、画像制御システムの第２の構成例を示す図である。
【図３】画像データを表示する処理手順を説明するフローチャートである。
【図４】所定期間を判別する処理手順を説明するフローチャートである。
【図５】画像制御装置に取り込んである画像データを表示させる例を示す図である。
【図６】本発明の実施形態を示し、画像制御システムの第３の構成例を示す図である。
【発明を実施するための形態】
【０００９】
以下に、本発明の好ましい実施の形態を、添付の図面に基づいて詳細に説明するが、本発明は、その要旨の範囲内で種々の変形及び変更が可能である。
（第１の実施形態）
図１（ａ）は、画像制御装置を用いた表示システムの構成例を示す図である。図１（ａ）に示す表示システムは、画像制御装置１０１、外部機器１０２、表示装置１０３、リモコン１０４、ケーブル１０５で構成される。
【００１０】
画像制御装置１０１は、外部機器１０２と通信可能な通信部を有し、外部機器１０２から画像データを取り込み、取り込んだ画像データを表示装置１０３に表示する。本実施形態における外部機器１０２は、デジタルカメラやデジタルビデオカメラ等の画像データを記憶可能な機器である。本実施形態における表示装置１０３はデジタルテレビ等で構成され、画像データを表示可能な機器である。リモコン１０４は、画像制御装置１０１の動作を遠隔操作可能な遠隔操作機器である。ケーブル１０５はHDMIケーブル等の画像制御装置１０１と表示装置１０３を接続するためのケーブルである。
【００１１】
図１（ｂ）は、図１（ａ）に示す画像制御装置の構成例を示すブロック図である。
図１（ｂ）に示すように、画像制御装置１０１は、制御部２０１、表示制御部２０２、ＲＯＭ２０３、ＲＡＭ２０４、記憶制御部２０５、外部機器通信部２０７、リモコン通信部２０９、記憶媒体２１０で構成される。
【００１２】
制御部２０１は、プログラムや入力信号に従い、画像制御装置１０１の各部を制御する。
【００１３】
表示制御部２０２は画像データを表示装置１０３に送信する。また、表示の再生や停止、表示装置１０３の電源ＯＮやＯＦＦ、表示装置１０３の入力切換え等の表示制御信号を表示装置１０３に送信することで、表示装置１０３の表示制御を行う。
【００１４】
ＲＯＭ２０３は不揮発性メモリであり、制御部２０１が実行するプログラムデータとタイムアウト時間等の設定値を記憶しておく。ＲＡＭ２０４はＳＤＲＡＭ等であり、制御部２０１の演算結果や、表示する画像や外部機器より取り込んだ画像の一時格納領域として使用される。
【００１５】
記憶制御部２０５は外部機器１０２より取り込んだ画像データを記憶媒体２１０に記憶、或いは、記憶媒体２１０から読み出す処理を行う。
外部機器通信部２０７はいわゆる近接無線通信で外部機器１０２と情報の授受を行い、画像データの取り込み等を行う。本実施形態における近接無線通信とは、通信範囲に機器同士が近接するとコネクションが確立する通信方法をいう。通信範囲は方式により異なるが、本実施形態では数cmの通信範囲とする。また、制御部２０１は外部機器通信部２０７を用いて外部機器１０２の近接を検出する外部機器検出処理を行う。
【００１６】
制御部２０１は、外部機器通信部２０７を用いて外部機器１０２に通信可能かどうかの返答を要求し、外部機器１０２から返答を受信すれば外部機器１０２が近接したと判断し、受信がなければ外部機器１０２は近接していないと判断する。このようにして外部機器１０２の近接を検出する。更に、制御部２０１は近接の検出結果をＲＡＭ２０４に一時的に格納する。
【００１７】
リモコン通信部２０９はＢｌｕｅｔｏｏｔｈ（登録商標）等で、リモコン１０４と通信しリモコンコード等を受信する。また、リモコンは加速度センサを備え、加速度センサで動きを検出すると、動いたことを表す信号を画像制御装置１０１に送信する。制御部２０１はリモコン通信部２０９を用いてリモコン１０４から動いたことを表す信号を受信することにより、リモコン１０４が動いたことを検出する。更に制御部２０１はリモコンが動いたことをＲＡＭ２０４に一時的に格納する。
【００１８】
記憶媒体２１０は、画像データを記憶する媒体であり、内蔵されたフラッシュデバイス、ハードディスク等である。或いは、着脱可能なフラッシュデバイス、ハードディスク等であってもよい。
なお、画像制御装置１０１の制御は、必ずしも図１（ｂ）に示すハード構成で行う必要はない。例えば１つのハードウェアが装置全体の制御を担ってもよいし、複数のハードウェアが処理を分担しながら装置全体を制御する構成としてもよい。
【００１９】
図３は、画像制御装置１０１が画像データを表示する処理手順を説明するフローチャートである。
図３を用いて、画像制御装置１０１が表示装置１０３に画像データを表示処理する手順を説明する。
【００２０】
Ｓ３０１において、制御部２０１は外部機器通信部２０７を用いて外部機器１０２の近接検出信号が受信されるのを待つ。外部機器１０２を検出するとＳ３０２に進み、制御部２０１は所定期間判別処理を行う。所定期間判別処理の説明は図４を用いて後述する。
また、外部機器１０２の近接を検出すると制御部２０１は外部機器１０２に対し、外部機器通信部２０７を用いて画像データの送信を要求し、外部機器１０２から送られてくる画像データを、外部機器通信部２０７を用いて受信する。制御部２０１は受信した画像データを、記憶制御部２０５を用いて記憶媒体２１０に記憶する。この受信・記憶処理はＳ３０３、Ｓ３０４と並行して実行される。
【００２１】
Ｓ３０３において、制御部２０１が所定期間内かどうかを判別し、所定期間でないと判断した場合は表示処理を終了する。Ｓ３０２における処理の結果、所定期間内であると判断するとＳ３０４に進む。Ｓ３０４において、制御部２０１はリモコン通信部２０９からリモコンの動きを表す情報が送られて来たかを判断し、送られて来ていない場合はＳ３０２の所定期間判断処理に戻る。
【００２２】
リモコンの動きを表す情報が送られて来ている場合はＳ３０５に進み、制御部２０１は記憶制御部２０５を用いて、記憶媒体２１０に記憶されている画像データを読み出し、表示制御部２０２を用いて表示装置１０３に表示する。この際、記憶媒体２１０から読み出すデータは近接を検出した外部機器１０２から取り込んだ画像データであってもよいし、既に取り込んであった画像データでもよい。
【００２３】
図４は、画像制御装置１０１が所定期間を判別する処理手順を説明するフローチャートである。
図４（ａ）は、図３のＳ３０２で行われる判別処理の手順を説明するフローチャートの一例である。本図を用いて処理を説明する。
Ｓ４０１において、制御部２０１はタイマーカウントを用いた計時を開始する。図１（ｂ）のブロック図では省略しているが、制御部２０１に接続された水晶発振器等の基準時間を基に制御部２０１は計時を行う。
【００２４】
次に、Ｓ４０２において、制御部２０１はＲＡＭ２０４から外部機器の検出情報を読み出して、外部機器１０２を検出しているか判断する。検出していないと判断した場合、制御部２０１はタイマーの値にかかわらず、Ｓ４０５において所定期間内ではないと判断し、所定期間判別処理を終了する。
また、Ｓ４０２で制御部２０１が外部機器を検出していると判断した場合は、Ｓ４０３において、タイマーカウント値が予め設定されたタイムアウト時間内か否かを判別する。Ｓ４０３において、制御部２０１はタイムアウト時間内ではないと判断すると、Ｓ４０５において制御部２０１は所定期間内ではないと判断して、所定期間判別処理を終了する。
【００２５】
また、Ｓ４０３において、制御部２０１はタイムアウト時間内であると判断すると、Ｓ４０４において制御部２０１は所定期間内であると判断して、所定期間判別処理を終了する。
【００２６】
別の実施形態として、画像データの取り込みの状態を考慮してもよい。図４（ｂ）は、図３のＳ３０２で行われる判別処理を、画像データの取り込みを考慮して行う処理のフローチャートである。
【００２７】
図４（ｂ）において、図４（ａ）との違いは、Ｓ４０３において、制御部２０１はタイムアウト時間内ではないと判断した場合に移行するＳ４０６を設けたことである。Ｓ４０３で制御部２０１はタイムアウト時間内ではないと判断するとＳ４０６に移行し、制御部２０１は外部機器１０２から画像データを取り込み中か否かを判断する。取り込み中と判断すると制御部２０１はタイマーの値にかかわらず、Ｓ４０４において所定期間内であると判断し、所定期間判別処理を終了する。また、Ｓ４０６において、取り込み中ではないと判断するとＳ４０５において、制御部２０１は所定期間内ではないと判断して、所定期間判別処理を終了する。このように処理することにより、外部機器から画像データを取り込み中は、その取り込みが完了するまでは予め設定された期間を過ぎても前記所定の期間内であるとすることができる。
【００２８】
以上述べたように、本実施形態によれば、ユーザは図５のように、使用者１００が外部機器１０２を画像制御装置１０１に近接させ、所定時間内にリモコン１０４を持ち上げるだけで、画像制御装置１０１に取り込まれた画像データの表示を行うことができる。つまり、メニューなどから画像データの表示を選択するといった煩雑な操作なしに画像データの表示を行うことができる。このような処理としたのは以下の理由による。使用者１００が外部機器１０２を画像制御装置１０１に近接させ、続いてリモコンを手にした場合は、外部機器１０２内の画像データをリモコン操作で表示させたい場合が多いと考えられる。したがって、そのような場合は画像データの表示処理を自動的に行うこととした。逆に、使用者１００が外部機器１０２を画像制御装置１０１に近接させた後、ある程度の時間が経ってからリモコンを手にした場合は、近接させる動作とリモコン１０４を手にする動作の関連性は低い可能性が高いと考えられる。したがって、この場合は画像データの表示を自動的には行わないこととした。
【００２９】
（第２の実施形態）
本実施形態は、画像制御装置が表示装置に、取り込んだ画像データを表示制御する実施形態であり、リモコンの搭載位置が決められている場合の実施形態である。
図２（ａ）は、画像制御装置を用いた表示システムの第２の構成例を示す図である。図２（ａ）において、図１（ａ）との相違は、画像制御装置１０１の一部にリモコン１０４の搭載位置１０６を設けたことである。
【００３０】
図２（ｂ）は、図２（ａ）に示す画像制御装置の表示システム構成を示すブロック図である。
図２（ｂ）において、図１（ｂ）との相違は、動き検出部２０８を新規に設けたことである。動き検出部２０８はリモコンの搭載位置１０６に対応する位置にあり、リモコン１０４が動かされたことを検出する。例えば、動き検出部２０８は磁界を検出する為のホール素子を装え、リモコン１０４は磁界を放出する為の磁石を備える。
【００３１】
本実施形態においては、リモコン１０４は画像制御装置１０１に搭載される搭載位置１０６が決められており、リモコン１０４が搭載位置１０６に置かれている場合は、動き検出部２０８が磁界を検出し、リモコン１０４が動かされていないことを検出する。そして、使用者１００によりリモコン１０４を持ち上げる等の動きをされると、動き検出部２０８は磁界を検出しなくなるので、リモコン１０４が動かされたことを検出する。更に、制御部２０１は動き検出部２０８が検出した結果をＲＡＭ２０４に一時的に格納する。本実施形態では、この方法を用いて図３のＳ３０４の処理が実行される。
【００３２】
画像制御装置１０１のリモコン１０４の搭載位置が決められている場合の構成は前述のようになる。その制御は第１の実施形態と同様のため割愛する。
前述したように、本実施形態の画像制御装置１０１においては、リモコン１０４の搭載位置１０６が決められている。これにより、使用者１００が表示データを表示したい場合だけリモコン１０４を動かせばよく、煩雑な操作なしに画像データを表示する画像制御装置を提供することができる。
【００３３】
（第３の実施形態）
本実施形態は、表示装置と画像制御装置とが一体になっている場合の実施形態である。図６（ａ）は、画像制御装置の表示システム構成を示す図である。図１（ａ）及び図２（ａ）と違い、表示装置１０３を一体的に備えているので、ケーブル１０５が不要となっている。
【００３４】
図６（ａ）に示す画像制御装置の表示システムは、画像制御装置１０１、外部機器１０２、表示装置１０３、リモコン１０４で構成される。画像制御装置１０１は外部機器１０２から画像データを取り込み、取り込んだ画像データを表示装置１０３に表示する。図６（ｂ）に示すように、表示装置１０３は画像制御装置１０１の一部として構成され、画像データを表示する。外部機器１０２はデジタルカメラやデジタルビデオカメラ等の画像データを記憶可能な機器であり、リモコン１０４は画像制御装置１０１を遠隔操作可能な機器である。
【００３５】
図６（ｂ）に示すように、本実施形態の画像制御装置１０１は、制御部２０１、表示制御部２０２、ＲＯＭ２０３、ＲＡＭ２０４、記憶制御部２０５、外部機器通信部２０７、リモコン通信部２０９、記憶媒体２１０、表示装置１０３で構成される。
【００３６】
表示制御部２０２は画像データや、表示の再生や停止、表示装置１０３の電源ＯＮやＯＦＦ等の表示制御信号を表示装置１０３に送信し、表示装置１０３の表示制御を行う。この場合、表示装置１０３は画像制御装置１０１の一部である為、表示装置１０３の入力切換えは不要である。
【００３７】
その他の構成および制御は第１の実施形態と同様のため割愛する。このように構成することにより、表示装置１０３が画像制御装置１０１の一部である場合でも、使用者１００が表示データを表示したい場合だけ、煩雑な操作なしに画像データを表示する画像制御装置を提供することができる。
【００３８】
なお、前述した実施形態においては、表示装置１０３をデジタルインターフェースを介して有線で接続した例を説明した。しかし、表示装置１０３を無線により接続してもよい。また、表示制御部２０２は、表示装置１０３に電源が入っていない場合は、表示装置１０３の電源をオンにしてから画像データを送信して表示を行うようにする。
【００３９】
（その他の実施形態）
また、本発明は、以下の処理を実行することによっても実現される。即ち、前述した実施形態の機能を実現するソフトウェア（コンピュータプログラム）を、ネットワーク又は各種のコンピュータ読み取り可能な記憶媒体を介してシステム或いは装置に供給する。そして、そのシステム或いは装置のコンピュータ（またはＣＰＵやＭＰＵ等）がプログラムを読み出して実行する処理である。
【符号の説明】
【００４０】
１０１  画像制御装置、１０２  外部機器、１０３  表示装置、１０４  リモコン、１０５  ケーブル、１０６  搭載位置、２０１  制御部、２０２  表示制御部、２０３  ＲＯＭ、２０４  ＲＡＭ、２０５  記憶制御部、２０７  外部機器通信部、２０９  リモコン通信部、２１０  記憶媒体
【図１】
0005595162.tif 000002
【図２】
0005595162.tif 000003
【図３】
0005595162.tif 000004
【図４】
0005595162.tif 000005
【図５】
0005595162.tif 000006
【図６】
0005595162.tif 000007